(57)【要約】【課題】  テープ式記録媒体に記録された動画の内容を、再生を行わずに画像として確認することができることにより、操作性の向上を図る。【解決手段】  動画の画像データを記録可能なテープ式記録媒体と、動画の撮影開始時の開始画像の画像データがテープ式記録媒体に関連づけられて記録されるメモリと、開始画像が前記テープ式記録媒体に関連づけられて表示される表示手段とを有する。【選択図】      図１
2006246039.tif 000002
【特許請求の範囲】
【請求項１】
動画の画像データを記録可能なテープ式記録媒体と、前記動画の撮影開始時または撮影開始時から所定時間経過後の開始画像の画像データが前記テープ式記録媒体に関連づけられて記録されるメモリと、前記開始画像が前記テープ式記録媒体に関連づけられて表示される表示手段とを有することを特徴とするビデオカメラ。
【請求項２】
前記動画の撮影中において前記動画の画像を指定する指定手段を有し、
前記メモリには、前記指定手段によって指定された指定画像の画像データおよび前記テープ式記録媒体において前記指定画像に対応する動画の画像データが記録されている記録位置が、前記テープ式記録媒体に関連づけられて記録され、前記表示手段には、前記指定画像および前記記録位置が表示されることを特徴とする請求項１に記載のビデオカメラ。
【請求項３】
前記表示手段において動画を再生する再生部を有し、前記表示手段に表示された前記指定画像を選択すると、前記記録位置から前記動画の再生を開始することを特徴とする請求項２に記載のビデオカメラ。
【請求項４】
動画の撮影が開始されると、前記動画の画像データをテープ式記録媒体に記録するとともに、前記動画の撮影開始時における開始画像の画像データを前記テープ式記録媒体に関連づけて記録し、前記開始画像を前記テープ式記録媒体に関連づけて表示することを特徴とする画像管理方法。
【請求項５】
前記動画の撮影中に前記動画の画像を指定すると、指定された指定画像の画像データおよび前記テープ式記録媒体において前記指定画像に対応する動画の画像データが記録されている記録位置を、前記テープ式記録媒体に関連づけて記録し、前記指定画像を前記記録位置に関連づけて表示することを特徴とする請求項４に記載の画像管理方法。
【請求項６】
前記指定画像を選択すると、前記記録位置から前記動画の再生を開始することを特徴とする請求項５に記載の画像管理方法。
【発明の詳細な説明】
【技術分野】
【０００１】
本発明は、ビデオカメラおよび画像管理方法に係り、特にテープ式記録媒体に動画の記録を行うビデオカメラおよび画像管理方法に関する。
【背景技術】
【０００２】
従来より、動画の記録を行うビデオカメラが多用されており、このようなビデオカメラは、撮影された動画や、撮影時に取得した音声等の情報をアナログ式またはデジタル式のデータによって記録媒体に記録するようになっている（例えば、特許文献１、２参照）。
【０００３】
また、前記ビデオカメラにおいて動画や音声等の情報をデジタルデータによって記録する記録媒体としては、ＤＶＣ(Digital Video Cassette)等のテープ式記録媒体やＤＶＤ(Digital Video Disk)等のディスク式記録媒体等の種々の記録媒体が知られている。
【０００４】
ここで、テープ式記録媒体は、記録可能な情報量が多く、記録された画質および音質が劣化せず、編集や複製に伴う画質の劣化の程度が低く、さらには、ディスク式記録媒体と比較して、高画質の動画を記録することができる等の種々の利点を有することから、近年利用価値が高まっている。
【０００５】
しかし、従来のテープ式記録媒体に記録を行うビデオカメラにおいては、前記記録媒体に記録された動画を再生しなければ、ディスク式記録媒体のように記録した動画を画像として確認することができず、操作性が悪いという問題を有していた。また、所望の動画記録位置を探すためには、テープ式記録媒体の早送りまたは巻き戻しを行い、任意の記録位置において再生を行いながら確認しなければならず、時間を要してしまい、さらに操作性が悪いという問題を有していた。
【０００６】
【特許文献１】特開平１０−１７４０３２号公報
【特許文献２】特開２００４−３４９８３５号公報
【発明の開示】
【発明が解決しようとする課題】
【０００７】
本発明はこれらの点に鑑みてなされたものであり、テープ式記録媒体に記録された動画を、再生を行わずに画像として確認することができることにより、操作性の向上を図ることができるビデオカメラを提供することを目的とする。
【課題を解決するための手段】
【０００８】
前記目的を達成するため、本発明に係るビデオカメラの特徴は、動画の画像データを記録可能なテープ式記録媒体と、前記動画の撮影開始時または撮影開始時から所定時間経過後の開始画像の画像データが前記テープ式記録媒体に関連づけられて記録されるメモリと、前記開始画像が前記テープ式記録媒体に関連づけられて表示される表示手段とを有する点にある。
【０００９】
この本発明に係るビデオカメラによれば、動画を撮影する際に、動画の画像データが記録されるテープ式記録媒体と関連づけながら前記動画の開始画像の画像データを記録し、開始画像を、このテープ式記録媒体と関連づけながら表示手段に表示することができる。これにより、容易にテープ式記録媒体に記録された動画の内容を確認することができる。
【００１０】
本発明に係る他のビデオカメラの特徴は、前記動画の撮影中において前記動画の画像を指定する指定手段を有し、前記メモリには、前記指定手段によって指定された指定画像の画像データおよび前記テープ式記録媒体において前記指定画像に対応する動画の画像データが記録されている記録位置が、前記テープ式記録媒体に関連づけられて記録され、前記表示手段には、前記指定画像および前記記録位置が表示される点にある。
【００１１】
この本発明に係る他のビデオカメラによれば、動画の撮影中に任意の１画面を指定することにより、この任意の指定画像の画像データを、テープ式記録媒体における指定画像の記録位置とともに記録し、表示手段に、指定画像を前記記録位置と関連づけながら表示することができる。このため、任意の指定画像を容易に確認し、前記指定画像の検索を短時間に行うことができ、他の記録媒体に複製するための編集を容易に行うことができる。
【００１２】
本発明に係る他のビデオカメラの特徴は、前記表示手段において動画を再生する再生部を有し、前記表示手段に表示された前記指定画像を選択すると、前記記録位置から前記動画の再生を開始する点にある。
【００１３】
この本発明に係る他のビデオカメラによれば、指定画像を指定することにより指定画像の記録位置から動画の再生を開始することができるので、前記指定画像の検索をより短時間に行うことができる。
【００１４】
本発明に係る画像管理方法の特徴は、動画の撮影が開始されると、前記動画の画像データをテープ式記録媒体に記録するとともに、前記動画の撮影開始時における開始画像の画像データを前記テープ式記録媒体に関連づけて記録し、前記開始画像を前記テープ式記録媒体に関連づけて表示する点にある。
【００１５】
この本発明に係る画像管理方法によれば、動画を撮影する際に、動画の画像データが記録されるテープ式記録媒体と関連づけながら前記動画の開始画像の画像データを記録し、開始画像を、このテープ式記録媒体と関連づけながら表示手段に表示することができ、これにより、容易にテープ式記録媒体に記録された動画の内容を確認することができる。
【００１６】
本発明に係る他の画像管理方法の特徴は、前記動画の撮影中に前記動画の画像を指定すると、指定された指定画像の画像データおよび前記テープ式記録媒体において前記指定画像に対応する動画の画像データが記録されている記録位置を、前記テープ式記録媒体に関連づけて記録し、前記指定画像を前記記録位置に関連づけて表示する点にある。
【００１７】
この本発明に係る他の画像管理方法によれば、動画の撮影中に任意の１画面を指定することにより、この任意の指定画像の画像データを、テープ式記録媒体における指定画像の記録位置とともに記録し、表示手段に、指定画像を前記記録位置と関連づけながら表示することができる。このため、任意の指定画像を容易に確認し、前記指定画像の検索を短時間に行うことができ、他の記録媒体に複製するための編集を容易に行うことができる。
【００１８】
さらに、本発明に係る他の画像管理方法の特徴は、前記指定画像を選択すると、前記記録位置から前記動画の再生を開始する点にある。
【００１９】
この本発明に係る他の画像管理方法によれば、指定画像を指定することにより指定画像の記録位置から動画の再生を開始することができるので、前記指定画像の検索をより短時間に行うことができる。
【発明の効果】
【００２０】
以上述べたように、本発明に係るビデオカメラおよび画像管理方法によれば、テープ式記録媒体に記録された動画の内容を、表示手段において動画の再生を行うことなく、画像として確認することができ、これにより、テープ式記録媒体に記録された動画の内容を容易に確認することができるので、デジタルビデオカメラの操作性の向上を図ることができるという効果を有する。
【００２１】
また、液晶表示パネル等に動画の再生を行うことなく、任意の指定画像を検索することができ、これにより、さらにデジタルビデオカメラの操作性を一層向上させることができる。
【発明を実施するための最良の形態】
【００２２】
以下、本発明に係るビデオカメラの一実施形態を図１から図５を参照して説明する。ここで、本実施形態においては、取得した動画や音声等の情報をデジタル式のデータに変換して記録するデジタルビデオカメラを用いて説明する。
【００２３】
図１は、本実施形態に係るデジタルビデオカメラの基本的構成を示すブロック図であり、図１に示すように、デジタルビデオカメラ１には、動画の撮影および撮影時の音声の取得を開始するための撮影開始ボタン２、および撮影中における動画の１画面を指定するための指定ボタン３が設けられている。さらに、デジタルビデオカメラ１には、撮影モード、再生モード、ＯＦＦモードに切り換えるための切り換え手段４が設けられている。
【００２４】
さらに、デジタルビデオカメラ１は、撮影モード時において撮影開始ボタン２を押すと、動画を撮影し、撮影した動画の画像データを処理する第１画像部６と、前記動画の１画面の画像データを処理する第２画像部７と、音声を取得し、取得した音声の音声データを処理する音声部８とを有している。
【００２５】
第１画像部６は、撮影した動画の画像データを入力するＣＣＤ１０から入力したアナログ式の画像データをデジタル式に変換し、入力したデジタル式の画像データをＤＶ(Digital Video)等の所定の形式に符号化するようになっている。
【００２６】
また、第２画像部７は、撮影開始時の動画における１画面の静止画である開始画像の画像データをデジタル式の画像データに変換し、この開始画像の画像データを所定の形式に符号化するようになっている。
【００２７】
さらに、第２画像部７は、指定ボタン３により指定された撮影中の動画における１画面の静止画である指定画像の画像データをデジタル式の画像データに変換し、この指定画像の画像データを所定の形式に符号化するようになっている。
【００２８】
なお、本実施形態においては、開始画像および指定画像を静止画としているがこれに限定されることはなく、短時間の動画としてもよい。
【００２９】
音声部８は、動画の撮影時における音声の音声データを入力するマイクロフォン１１から入力したアナログ式の音声データをデジタル式に変換し、入力したデジタル式の音声データを所定の形式に符号化するようになっている。
【００３０】
デジタルビデオカメラ１には、テープ式記録媒体１３が取り付けられるようになっており、第１画像部６および映像部は、テープ式記録媒体１３に符号化された動画の画像データおよび音声データを記録するようになっている。
【００３１】
デジタルビデオカメラ１には、半導体により構成された外部メモリ１４が取り付けられるようになっており、第２画像部７は、符号化された開始画像の画像データ、および指定画像の画像データを外部メモリ１４に記録するようになっている。
【００３２】
さらに、デジタルビデオカメラ１は、記録環境情報制御部１６を有している。記録環境情報制御部１６は、デジタルビデオカメラ１に内蔵された時計（図示せず）から撮影開始時の日時、指定画像の指定日時、撮影終了時の他、撮影開始時のテープ式記録媒体１３のカウンターナンバーや、指定画像の指定時におけるテープ式記録媒体１３のカウンターナンバー、さらには撮影終了時におけるテープ式記録媒体１３のカウンターナンバーや撮影時間等の種々の記録環境情報を取得するようになっている。これとともに、記録環境情報制御部１６は、撮影しているテープ式記録媒体１３の識別情報を取得するようになっている。このテープ式記録媒体１３の識別情報は、例えば、テープ式記録媒体１３に付加されたＩＣメモリ等から取得するとよい。そして、記録環境情報制御部１６は、外部メモリ１４に、前記各記録環境情報を記録するようになっている。
【００３３】
なお、本実施形態においては、開始画像および指定画像の画像データや、記録環境情報を外部メモリ１４に記録するようになっているが、これに限定されるものではなく、例えばデジタルビデオカメラ１の内蔵メモリに記録するようにしてもよい。また、前述の各記録環境情報は例示であり、他に例えば撮影開始位置や指定画像の指定位置等の種々の記録環境情報を記録するようにしてもよい。
【００３４】
デジタルビデオカメラ１は、テープ式記録媒体１３に記録された動画の画像データ屋音声データ、さらには外部メモリ１４に記録された開始画像および指定画像の画像データや記録環境情報を再生する再生部１８を有している。
【００３５】
再生部１８は、前記動画や開始画像および指定画像、さらには各記録環境情報を、デジタルビデオカメラ１に設けられた表示手段としての液晶表示パネル２０に表示するようになっている。
【００３６】
また、デジタルビデオカメラ１には、液晶表示パネル２０に表示される各画像等を選択する選択ボタン２２や、表示された各画像の次または前に記録されている各画像を表示させるための前画面ボタン２３ａおよび次画面ボタン２３ｂが設けられている。
【００３７】
さらに、デジタルビデオカメラ１には、図示しないパーソナルコンピュータ等の外部機器に画像データおよび音声データその他種々のデータを出力するとともに、外部機器の制御下においてビデオカメラを外部機器から操作するための制御データを入力するためにデジタルビデオおよび外部機器を接続するインターフェース接続部２６が設けられている。
【００３８】
次に、本実施形態のビデオカメラにおける画像管理方法について、図２を参照して説明する。
【００３９】
まず、動画を撮影するにあたり、ビデオカメラを撮影モードに切り換えて撮影開始ボタン２を押すと（ＳＴ１）、第１画像部６は、ＣＣＤ１０からアナログ式の動画の画像データの入力を開始し、前記アナログ式の画像データをデジタル式に変換した後、デジタル式の画像データを符号化してテープ式記録媒体１３に記録する（ＳＴ２）。
【００４０】
これとともに、撮影開始ボタン２が押されると（ＳＴ１）、第２画像部７は、ＣＣＤ１０から撮影開始時の開始画像のアナログ式の画像データを入力し、前記アナログ式の画像データをデジタル式に変換した後、デジタル式の画像データを符号化して外部メモリ１４に記録する（ＳＴ３）。
【００４１】
また、撮影開始ボタン２が押されると（ＳＴ１）、音声部８は、マイクロフォン１１からアナログ式の音声データの入力を開始し、前記アナログ式の音声データをデジタル式に変換した後、デジタル式の音声データを符号化し、テープ式記録媒体１３に記録する（ＳＴ４）。
【００４２】
さらに、撮影開始ボタン２が押されると（ＳＴ１）、記録環境情報制御部１６は、テープ式記録媒体１３の識別情報を取得して外部メモリ１４に記録するとともに、前記識別情報に関連づけて、撮影開始時の日時や開始画像に対応する動画が記録されたテープ式記録媒体１３の記録位置のカウンターナンバーを外部メモリ１４に記録する（ＳＴ５）。
【００４３】
続いて、動画の撮影中に指定したい画面があった場合、ビデオカメラにおいて指定ボタン３を押すと（ＳＴ６）、第２画像部７は、指定時の指定画像のアナログ式の画像データを入力し、前記アナログ式の画像データをデジタル式に変換した後、デジタル式の画像データを符号化して外部メモリ１４に記録する（ＳＴ７）。
【００４４】
また、指定ボタン３が押されると（ＳＴ７）、記録環境情報制御部１６は、テープ式記録媒体１３の識別情報に関連づけて、指定時の日時や指定画像に対応する動画が記録されたテープ式記録媒体１３の記録位置のカウンターナンバーを外部メモリ１４に記録する（ＳＴ８）。
【００４５】
この動画の撮影中の画面の指定は、複数回行うことができる。
【００４６】
このとき、第１画像部６は、引き続き動画の画像データを前述同様にテープ式記録媒体１３に記録し続けるとともに（ＳＴ２）、音声部８は、音声データをテープ式記録媒体１３に記録し続ける（ＳＴ４）。
【００４７】
次に、撮影開始ボタン２を再度押し、またはデジタルビデオカメラ１をＯＦＦモードにする等により撮影を終了すると（ＳＴ９）、第１画像部６は、ＣＣＤ１０からの動画の画像のデータの入力を停止するとともに（ＳＴ１０）、音声部８は、マイクロフォン１１からの音声データの入力を停止する（ＳＴ１１）。
【００４８】
また、記録環境情報制御部１６は、テープ式記録媒体１３の識別情報に関連づけて、撮影終了時におけるテープ式記録媒体１３の記録位置のカウンターナンバーや撮影時間を外部メモリ１４に記録する（ＳＴ１２）。
【００４９】
次に、前記ビデオカメラにおける再生方法について、図３を参照して説明する。
【００５０】
まず、ビデオカメラを再生モードに切り換えると（ＳＴ２１）、再生部１８は、外部メモリ１４からテープ式記録媒体１３の識別情報および開始画像および指定画像の画像データを取りだして、前記識別情報と関連づけながら前記画像データに基づいて液晶表示パネル２０に開始画像および指定画像のサムネイルを表示する（ＳＴ２２）。
【００５１】
ここで、外部メモリ１４に複数のテープ式記録媒体１３の識別情報および開始画像等の画像データが記録されている場合には、図４に示すように、前記識別情報とともに該当するテープ式記録媒体１３に記録された動画の画像データに対応する開始画像等のサムネイルを表示する。
【００５２】
ビデオカメラの使用者が、液晶表示パネル２０に表示されたサムネイルを確認しながら、選択ボタン２２によって再生するテープ式記録媒体１３を選択ボタン２２により選択すると（ＳＴ２３）、図５に示すように、選択したテープ式記録媒体１３の開始画像のサムネイルを液晶表示パネル２０に表示するとともに、開始画像の撮影日時、選択されたテープ式記録媒体１３において開始画像に該当する動画が記録された記録位置のカウンターナンバー、および撮影された動画の撮影時間を表示する（ＳＴ２４）。
【００５３】
ここで、選択ボタン２２により表示された開始画像を選択すると（ＳＴ２５においてＹｅｓ）、その開始画像が含まれた動画の画像データが記録されているテープ式記録媒体１３がデジタルビデオカメラ１に取り付けられているかを確認し（ＳＴ２６）、取り付けられている場合には（ＳＴ２６においてＹｅｓ）、開始位置から動画の再生を開始する（ＳＴ２７）。
【００５４】
一方、デジタルビデオカメラ１が取り付けられていない場合には（ＳＴ２６においてＮｏ）、デジタルビデオカメラ１が取り付けられていない旨を表示し（ＳＴ２８）、取り付けられると（ＳＴ２９）、開始位置から動画の再生を開始する（ＳＴ２７）。
【００５５】
続いて、表示された開始画像を選択しない場合（ＳＴ２５においてＮｏ）、次画面２３ｂボタンを押すと（ＳＴ３０）、動画の撮影中に指定された指定画像のサムネイルを液晶表示パネル２０に表示するとともに、指定画像の撮影日時、選択されたテープ式記録媒体１３において指定画像に該当する動画が記録された記録位置のカウンターナンバーを表示する（ＳＴ３１）。
【００５６】
そして、選択ボタン２２により表示された指定画像を選択すると（ＳＴ３２）、指定画像を含む動画の画像データが記録されたテープ式記録媒体１３がデジタルビデオカメラ１に取り付けられているか否か確認し（ＳＴ３３）、取り付けられている場合（ＳＴ３３においてＹｅｓ）、再生部１８は、指定画像のカウンターナンバーに基づいてテープ式記録媒体１３を早送りまたは巻き戻し等を行い、液晶表示パネル２０において指定画像を指定した位置から動画の再生を行う（ＳＴ３４）。
【００５７】
一方、選択された指定画像を含む動画の画像データが記録されたテープ式記録媒体１３がデジタルビデオカメラ１に取り付けられていない場合には（ＳＴ３３においてＮｏ）、再生部１８は、該当するテープ式記録媒体１３がデジタルビデオカメラ１に取り付けられていない旨を液晶表示パネル２０において表示する（ＳＴ３５）。そして、該当するテープ式記録媒体１３がデジタルビデオカメラ１に取り付けられると（ＳＴ３６）、再生部１８は、液晶表示パネル２０において指定画像を指定した位置から動画の再生を行う（ＳＴ３４）。
【００５８】
また、デジタルビデオカメラ１の液晶表示パネル２０に代わって、インターフェース接続部２６を介してデジタルビデオカメラ１を外部機器に接続することにより、外部機器の表示手段に、開始画像や指定画像のサムネイルを表示し、動画を再生してもよい。
【００５９】
さらに、外部メモリ１４に記録するのは、撮影開始時の画像データではなく、撮影開始時から所定時間経過後（例えば３秒）の画像データであってもよい。
【００６０】
次に、本実施形態の作用について説明する。
【００６１】
本実施形態によれば、動画を撮影する際に、動画の画像データが記録されるテープ式記録媒体１３と関連づけながらこの動画における開始画像の画像データを記録し、ビデオカメラの液晶表示パネル２０や外部機器の表示手段に、開始画像のサムネイルを、前記テープ式記録媒体１３と関連づけながら表示することができる。これにより、容易にテープ式記録媒体１３に記録された動画の内容を確認することができる。
【００６２】
また、動画の撮影中に任意の１画面を指定すれば、この任意の指定画像の画像データを、テープ式記録媒体１３における指定画像に該当する動画の画像データが記録されている記録位置とともに記録することができる。このため、テープ式記録媒体１３において任意の指定画像がどこに記録されているかを容易に検索することができる。
【００６３】
したがって、テープ式記録媒体１３に記録された動画の内容を、液晶表示パネル２０等に動画の再生を行うことなく、画像として容易に確認することができ、これにより、デジタルビデオカメラ１の操作性の向上を図ることができるという効果を有する。
【００６４】
また、液晶表示パネル２０等に動画の再生を行うことなく、任意の指定画像を短時間で検索することができるので、例えばＤＶＤへの複製のための編集等を容易に行うことができる。この結果、さらにデジタルビデオカメラ１の操作性を向上させることができる。
【００６５】
なお、本発明は前記実施形態に限定されるものではなく、必要に応じて種々変更することが可能である。
【図面の簡単な説明】
【００６６】
【図１】本発明に係るビデオカメラの一実施形態の基本的構成を示すブロック図
【図２】本発明に係る画像管理方法の一実施形態を示すフローチャート
【図３】本発明に係るビデオカメラにおける再生方法の一実施形態を示すフローチャート
【図４】図１のビデオカメラに設けられた表示手段における表示の一例を示す概念図
【図５】図４の表示手段における他の表示の例を示す概念図
【符号の説明】
【００６７】
１  デジタルビデオカメラ
２  撮影開始ボタン
３  指定ボタン
４  切り換え手段
６  第１画像部
７  第２画像部
８  音声部
１０  ＣＣＤ
１１  マイクロフォン
１３  テープ式記録媒体
１４  外部メモリ
１６  記録環境情報制御部
１８  再生部
２０  液晶表示パネル
２２  選択ボタン
２６  インターフェース部
【図１】
2006246039.tif 000003
【図２】
2006246039.tif 000004
【図３】
2006246039.tif 000005
【図４】
2006246039.tif 000006
【図５】
2006246039.tif 000007